(57)【要約】【課題】冷媒ポンプにおいて、吸入管と吐出管が密閉容器の端面に設置されているため冷媒ポンプの形状が長くなり設置面積が大きくなることを解決し、設置面積が小さく小型の冷媒ポンプを得ることを目的とする。【解決手段】ポンプ機構部５を縦方向に設置し吸入管１１を厚肉の密閉容器２の下方部２Ａに設け、吐出管１２を固定子３とポンプ機構部５の間における厚肉の密閉容器に設置することによって、設置面積の小さなより小型の冷媒ポンプを得ることが出来る。【選択図】  図１
2004346820.tif 000002
【特許請求の範囲】
【請求項１】
薄肉の密閉容器の外側に電動機部の固定子を取り付け、前記薄肉の密閉容器の内側に電動機部の回転子を設け、その回転子の回転力をポンプ機構部に伝達する駆動軸を設け、前記ポンプ機構部を厚肉の密閉容器の内側に配設し、前記ポンプ機構部を縦方向に設置し吸入管を前記厚肉の密閉容器の下方部に設置し、吐出管を前記固定子と前記ポンプ機構部の間における前記厚肉の密閉容器に設置し、前記吸入管と前記吐出管とを前記駆動軸の軸方向と直交する方向に延出させたことを特徴とする冷媒ポンプ。
【請求項２】
ポンプ機構部の吸入板の一部を切り欠いた切り欠き部が形成され、冷媒の吸入通路を確保したことを特徴とする請求項１記載の冷媒ポンプ。
【請求項３】
駆動軸を主軸受のみで受ける構成にしたことを特徴とする請求項１記載の冷媒ポンプ。
【請求項４】
駆動軸にポンプ室の吐出口とつながる縦穴を設けかつ主軸受と回転子の間の位置まで前記縦穴を設け、前記縦穴と導通する横穴を設け液冷媒の出口としたことを特徴とする請求項１記載の冷媒ポンプ。
【発明の詳細な説明】
【０００１】
【発明の属する技術分野】
本発明は、高発熱の半導体素子等の冷却を冷媒の蒸発、凝縮の相変化を用いて効率よく行なう冷却装置の冷媒ポンプに関するものである。
【０００２】
【従来の技術】
以下に従来の冷媒ポンプについて説明する。
【０００３】
従来の冷媒ポンプとしては、横型設置のタイプがあった。（例えば、特許文献１参照）。以下、従来の冷媒ポンプについて図４を用いて説明する。図４は従来の冷媒ポンプにおける構成を示す縦断面図である。図４において、駆動軸４１は主軸受４２と副軸受４３で支持される構成になっていた。またポンプ機構部４４は横に設置され吸入管４５、吐出管４６は密閉容器４７の両端面に設置されていた。４８はブラシレス直流電動機である。
【０００４】
【特許文献１】
特公平７−４７９５７号公報（第２−３頁、図１）
【０００５】
【発明が解決しようとする課題】
しかしながら以上のような従来の冷媒ポンプにおいては、吸入管４５と吐出管４６が密閉容器４７の長手方向の両端面に設置されているため冷媒ポンプの形状が長くなり設置面積が大きくなるという問題点を有していた。
【０００６】
本発明は上記従来の問題点を解決するもので、設置面積が小さくより小型の冷媒ポンプを提供することを目的とする。
【０００７】
【課題を解決するための手段】
この目的を達成するために本発明の冷媒ポンプは、冷媒ポンプを縦型に設置し、吸入管と吐出管を密閉容器の横側に配置する構成を有している。
【０００８】
この構成によって、設置面積が小さくより小型の冷媒ポンプが得られる。
【０００９】
【発明の実施の形態】
本発明の請求項１に記載の発明は、薄肉の密閉容器の外側に電動機部の固定子を取り付け、薄肉の密閉容器の内側に電動機部の回転子を設け、その回転子の回転力をポンプ機構部に伝達する駆動軸を設け、ポンプ機構部を厚肉の密閉容器の内側に配設し、ポンプ機構部を縦方向に設置し吸入管を厚肉の密閉容器の下方部に設置し、吐出管を固定子とポンプ機構部の間における厚肉の密閉容器に設置し、吸入管と吐出管とを駆動軸の軸方向と直交する方向に延出させたものであり、縦方向に設置することにより設置面積を小さくすることができ、吸入管と吐出管を厚肉の密閉容器の横側に設けることによってより小型の冷媒ポンプが得られるという作用を有する。
【００１０】
本発明の請求項２に記載の発明は、ポンプ機構部の吸入板の一部を切り欠いた切り欠き部を形成し、冷媒の吸入通路を確保したものであり、吸入管の設置場所を吸入板の横に設置できるため高さ方向を短くするという作用を有する。
【００１１】
本発明の請求項３に記載の発明は、駆動軸を主軸受のみで受ける構成にしたものであり、駆動軸を１箇所で支持することができるという作用を有する。
【００１２】
本発明の請求項４に記載の発明は、駆動軸にポンプ室の吐出口とつながる縦穴を設けかつ主軸受と回転子の間の位置まで縦穴を設け、縦穴と導通する横穴を設け液冷媒の出口としたものであり、回転子による液冷媒の攪拌等による損失を防ぐことができるという作用を有する。
【００１３】
以下、本発明の実施の形態について、図１から図３を用いて説明する。
【００１４】
（実施の形態１）
図１は本発明の実施の形態１における冷媒ポンプを示す断面図である。薄肉の密閉容器１の外側に電動機部２０の固定子３が取り付けられており、薄肉の密閉容器１の内側には電動機部２０の回転子４が配置されている。回転子４の回転力は駆動軸６によりポンプ機構部５に伝えられる。また、ポンプ機構部５は厚肉の密閉容器２の内側に固定されている。薄肉の密閉容器１と厚肉の密閉容器２とは各々内周部と外周部とで接合されている。ポンプ機構部５は縦方向に設置されるよう図示しない別部材の基材に底部２１を介して載置され、冷媒ポンプは縦型に設置されている。
【００１５】
また、厚肉の密閉容器２の下方部２Ａには吸入管１１が設けられており、固定子３とポンプ機構部５の間で厚肉の密閉容器２の上方部２Ｂに吐出管１２が設置されている。吸入管１１と吐出管１２とは駆動軸６の軸方向と直交する方向に延出されている。７は主軸受であるシリンダー軸受けであり、駆動軸６の軸受けとポンプ室を形成するシリンダーとを兼ねている。駆動軸６の軸受部が主軸受けであるシリンダー軸受け７の１箇所で支持されている。
【００１６】
吸入板８の吸入管１１の入口近辺には一部を切り欠いた切り欠き部１３が形成されており、冷媒の吸入通路が確保されている。また、駆動軸６にはポンプ機構部５側の端部からシリンダー軸受７と回転子４の間の位置まで縦穴１７が設けられ、その出口として回転子４とシリンダー軸受７の間に横穴１４が設けられている。
【００１７】
図２は図１のＡ−Ａ断面図であり、ポンプ機構部５の詳細を示している。このポンプ機構部５はシリンダー軸受け７と、トロコイド曲線からなるインナーロータ１０とインナーロータ１０とかみ合ってポンプ室１８を構成するアウターロータ９より構成されている。
【００１８】
図３は図１の吸入板８のポンプ側から見た側面図である。吸入板８には吸入口１６と吐出口１５が形成されている。吸入板７には三日月型の吸入口１６の孔が貫通しており、液冷媒が図２のポンプ室１８に入るように構成されている。吐出口１５は駆動軸受中心部に向かうように溝があけられており、図２の駆動軸６の縦穴１７につながるように設置されている。
【００１９】
以上のように構成された冷媒ポンプの動作について説明する。まず、電動機部２０の回転子４が回転すると、回転子４に圧入されている駆動軸６が回転する。図２に示すように駆動軸６はインナーロータ１０の穴に嵌合されているので、駆動軸６が回転するとインナーロータ１０も矢印の方向に回転する。この時、アウターロータ９はインナーロータ１０と噛み合っているので、アウターロータ９もインナーロータ１０に伴って矢印の方向に回転する。これによってポンプ室１８は、その体積を変化させながら矢印の方向に回転してポンプ作用を発揮する。
【００２０】
ポンプ機構部５でポンプ作用が発生すると、液冷媒が吸入管１１から吸い込まれ、吸入板８の切り欠き部１３を通り厚肉の密閉容器２の中に入る。厚肉の密閉容器２の中に入った液冷媒は、次に吸入板８の吸入口１６よりポンプ室１８に吸入される。そして液冷媒はポンプ室１８で昇圧された後、吸入板８に設けられた吐出口１５を経て駆動軸６にあけられた縦穴１７を通り横穴１４から密閉容器の空間に吐出され液冷媒で満たされ回転している回転子４を通過することなく吐出管１２を経て密閉容器の外へ出て行く。
【００２１】
以上のように本実施の形態の冷媒ポンプによれば、縦型に設置することにより設置面積を小さくすることが可能であると共に、吸入管１１と吐出管１２を厚肉の密閉容器２の横から出す構成にすることによって、より小型の冷媒ポンプを得ることができる。また、高さにおいては軸受部が主軸受であるシリンダー軸受け７の１個所で支持されるよう構成され小型でコンパクトな冷媒ポンプを得ることが出来る。また、駆動軸６の冷媒の吐出穴である横穴１４が電動機部２０の回転子４とシリンダー軸受７の間に設けられているため回転子４による液冷媒の攪拌等による損失を防ぐことができる。また、吸入用の切り欠き部１３を吸入板８に設置しているため吸入管１１の設置場所を吸入板８の横に設置できるため高さ方向を短く構成することが可能である。さらに、本実施の形態では、吐出管１２の位置が密閉容器の中間にあることにより、ポンプ機構部５の周囲に満たされている液冷媒を攪拌することが無いため密閉容器内に溜められた液冷媒によりポンプ機構部５を冷却し、軸受け部の焼き付き等を起こしにくい構成を得ることができる。
【００２２】
【発明の効果】
以上のように本発明は、冷媒ポンプを縦型に設置し、吸入管と吐出管を密閉容器の横側に配置することによって、設置面積を少なくすると共に、より小型の冷媒ポンプが得られる。
【図面の簡単な説明】
【図１】本発明の実施の形態１における冷媒ポンプを示す断面図
【図２】同実施の形態１における冷媒ポンプの要部を示す断面図
【図３】同実施の形態１における冷媒ポンプの要部を示す断面図
【図４】従来の冷媒ポンプの構成を示す断面図
【符号の説明】
１  薄肉の密閉容器
２  厚肉の密閉容器
２Ａ  下方部
３  固定子
４  回転子
５  ポンプ機構部
６  駆動軸
７  主軸受
８  吸入板
１１  吸入管
１２  吐出管
１３  切り欠き部
１４  横穴
１５  吐出口
１７  縦穴
１８  ポンプ室
２０  電動機部
【図１】
2004346820.tif 000003
【図２】
2004346820.tif 000004
【図３】
2004346820.tif 000005
【図４】
2004346820.tif 000006